【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】インクジェット用インク組成物及び、これを用いるダイレクト製版方法
【手続補正２】
【補正対象書類名】明細書
【補正対象項目名】特許請求の範囲
【補正方法】変更
【補正の内容】
【特許請求の範囲】
【請求項１】  少なくとも熱溶融性ビヒクル材料、光重合組成物、光重合開始剤、増感剤を含有する常温で固体のインク組成物を熱溶融し、熱溶融状態で液滴を作り、該液滴を平版印刷用原版表面に付着させて画線部を形成し、次いで該画線部を光照射して硬化させ刷版とすることを特徴とする、インクジェット記録を用いたダイレクト製版方法。
【請求項２】  前記平版印刷用原版表面が、親水、保水処理が施されたアルミニウムからなることを特徴とする請求項１記載のインクジェット記録を用いたダイレクト製版方法。
【請求項３】  前記平版印刷用原版が少なくとも酸化亜鉛あるいは酸化チタンを分散した樹脂層を表層とした原版であって、画線部を硬化した後に、該原版をエッチング処理により親水化して製版することを特徴とする請求項１記載のインクジェット記録を用いたダイレクト製版方法。
【請求項４】  前記平版印刷用原版が少なくともシリコーンゴム表層を有し、水なし平版印刷に用いることを可能にならしめたことを特徴とする請求項１記載のインクジェット記録を用いたダイレクト製版方法。
【請求項５】  少なくとも熱溶融性ビヒクル材料、光重合組成物、光重合開始剤、増感剤を含有し、常温で固体であることを特徴とするインクジェット用インク組成物。
【請求項６】  前記光重合開始剤がチオキサントン誘導体からなり、前記増感剤が３級アミンであることを特徴とする請求項５記載のインクジェット用インク組成物。
【請求項７】  前記熱溶融性ビヒクル材料の融点が５０〜１２０℃であることを特徴とする請求項５記載のインクジェット用インク組成物。
【請求項８】  前記光重合組成物の含有量が２０〜９０重量％であることを特徴とする請求項５記載のインクジェット用インク組成物。
【請求項９】  前記光重合組成物が少なくとも有機シリル基を有したエチレン性不飽和化合物を含むことを特徴とする請求項５記載のインクジェット用インク組成物。
【手続補正３】
【補正対象書類名】明細書
【補正対象項目名】００１５
【補正方法】変更
【補正の内容】
【００１５】
【発明が解決しようとする課題】
本発明は、このような状況に鑑みてなされたもので、その目的は、工程の簡素化による大幅な製版コストの削減が可能なインクジェット方式によるダイレクト製版にあって、解像度、感脂性などの点では優れた特性を有するが、室温付近で固体の熱溶融性インクを用いたときの耐刷性が低いという問題点を解消し、実用に十分なインクジェット用インク組成物、およびこれを用いた平版印刷版の製版方法を提供することを目的とする。
【手続補正４】
【補正対象書類名】明細書
【補正対象項目名】００２０
【補正方法】変更
【補正の内容】
【００２０】
第五に、少なくとも熱溶融性ビヒクル材料、光重合組成物、光重合開始剤、増感剤を含有する、常温で固体のインクジェット用インク組成物が提供される。
【手続補正５】
【補正対象書類名】明細書
【補正対象項目名】００２１
【補正方法】変更
【補正の内容】
【００２１】
第六に、上記第五に記載したインクジェット用インク組成物において、光重合開始剤がチオキサントン誘導体からなり、増感剤が３級アミンであることを特徴とするインク組成物が提供される。
【手続補正６】
【補正対象書類名】明細書
【補正対象項目名】００２２
【補正方法】変更
【補正の内容】
【００２２】
第七に、上記第五に記載したインクジェット用インク組成物において、熱溶融性ビヒクル材料の融点が５０〜１２０℃であることを特徴とするインク組成物が提供される。
【手続補正７】
【補正対象書類名】明細書
【補正対象項目名】００２３
【補正方法】変更
【補正の内容】
【００２３】
第八に、上記第五に記載したインクジェット用インク組成物において、該光重合組成物の含有量が２０〜９０重量％であることを特徴とするインク組成物が提供される。
【手続補正８】
【補正対象書類名】明細書
【補正対象項目名】００２４
【補正方法】変更
【補正の内容】
【００２４】
第九に、上記第五に記載したインクジェット用インク組成物において、光重合組成物が、少なくとも有機シリル基を有したエチレン性不飽和化合物を含むことを特徴とするインク組成物が提供される。
【手続補正９】
【補正対象書類名】明細書
【補正対象項目名】００２５
【補正方法】変更
【補正の内容】
【００２５】
上述のように本発明のインクジェット用インク組成物およびこれを用いるダイレクト製版方法においては、ダイレクト製版であるので工程が簡素化され、熱溶融インクジェット方式を採用することで、画線部のにじみのない解像度の高い版が得られ、光重合組成物を十分に光硬化させたことにより耐刷性の高い版を得ることが出来るインクジェット用インク組成物およびこれを用いるダイレクト製版方法が提供される。
【手続補正１０】
【補正対象書類名】明細書
【補正対象項目名】００６７
【補正方法】変更
【補正の内容】
【００６７】
上記第五に記載した構成（請求項５）によれば、熱溶融インクジェット法と光照射による画線部を硬化させるダイレクト製版に用いるインクジェット用インク組成物を少なくとも熱溶融性ビヒクル材料、光重合組成物、光重合開始剤、増感剤を含有する常温で固体のインク組成物とすることで、にじみによる解像度の低下がなく、耐刷性が大幅に改善した画線部を得ることができた。
【手続補正１１】
【補正対象書類名】明細書
【補正対象項目名】００６８
【補正方法】変更
【補正の内容】
【００６８】
上記第六に記載した構成（請求項６）によれば、上記第五の構成のインクジェット用インク組成物において、光重合開始剤にチオキサントン誘導体を用い、増感剤に３級アミンを使用することで、他の光重合開始剤系に比べて固体中での光重合効率を高めることができ、ダイレクト製版に使用した際に実用上十分な耐刷性を有する刷版を得ることができた。
【手続補正１２】
【補正対象書類名】明細書
【補正対象項目名】００６９
【補正方法】変更
【補正の内容】
【００６９】
上記第七に記載した構成（請求項７）によれば、上記第五の構成のインクジェット用インク組成物において、熱溶融性ビヒクル材料の融点を５０〜１２０℃の範囲に特定することで、熱溶融インクジェット方式を利用した製版方式での溶融インクの吐出性を高めることができた。
【手続補正１３】
【補正対象書類名】明細書
【補正対象項目名】００７１
【補正方法】変更
【補正の内容】
【００７１】
上記第九に記載した構成（請求項９）によれば、上記第五の構成のインクジェット用インク組成物において、該光重合組成物に少なくとも有機シリル基を有したエチレン性不飽和化合物を含むことで、シリコーンゴム表層を有した平版印刷用原版を使用した際に画線部とシリコーンゴム層の接着性を高めることができ、水なし平版印刷用刷版の耐刷性を特に優れたものにできた。
【手続補正１４】
【補正対象書類名】明細書
【補正対象項目名】００７２
【補正方法】変更
【補正の内容】
【００７２】
上述のように本発明のインクジェット用インク組成物およびこれを用いるダイレクト製版方法においては、ダイレクト製版であるので工程が簡素化され、熱溶融インクジェット方式を採用することで、画線部のにじみのない解像度の高い版が得られ、光重合組成物を十分に光硬化させたことにより耐刷性の高い版を得ることが出来るインクジェット用インク組成物およびこれを用いるダイレクト製版方法を得ることができる。